(57)【特許請求の範囲】
【請求項１】
筐体の一部である計器用変流器取付用のパネル部と、該パネル部に支腕部を介して取り付けられた計器用変流器を内ケースユニットと外ケースユニットとで外部磁界から遮蔽するシールドケースとで構成され、前記内ケースユニットは、パネル部に設けられた溝部への差し込みが自在な差込み片を有するシャーシ板と、該シャーシ板の差込み片を除く部位と略同形状を呈するシールド板と、該シールド板よりやや小さな方形形状を呈する上面板を有して下面が全面開口され、パネル部との対面側に位置する一側面が少なくとも前記計器用変流器の通過を許す幅で部分開口されているシールドケース部とを一体的に固定して形成し、前記外ケースユニットは、前記シールドケース部への下方からの外被を自在に形成された一次シールドケース部と、該一次シールドケース部への下方からの外被を自在に形成された二次シールドケース部とを前記支腕部の通過を許す切欠部を具備させて相互に一体的に固定して形成するとともに、部分開口している前記一側面の側から前記計器用変流器をシールドケース部内に納めながら差込み片を溝部に差し込んでパネル部の側に固定させた前記内ケースユニットには、シールドケース部を下方から前記切欠部を介して支腕部を導入しながら外被させた状態のもとで外ケースユニットを一体的に固定したことを特徴とする計器用変流器の磁気シールド構造。
【請求項２】
前記外ケースユニットは、二次シールドケース部の開放端面からその面方向での外方に突設された少なくとも２個の位置決め突片を介して内ケースユニットに一体的に固定したことを特徴とする請求項１記載の計器用変流器の磁気シールド構造。
【発明の詳細な説明】
【０００１】
【発明の属する技術分野】
本発明は、各種の計器類が備える変流器に対する外部磁界の影響を抑止して微小電流の検出も正確にできるようにした計器用変流器の磁気シールド構造に関する。
【０００２】
【従来の技術】
図４は、電力計等の計器類が備える変流器が外部磁界から受ける影響をできるだけ小さくできるようにした計器用変流器の磁気シールド構造についての従来例を示す分解斜視図である。
【０００３】
同図によれば、計測に要する種々の機器類が収納される筐体（図示せず）を構成している計器用変流器取付用のパネル部１１１と、内ケースユニット１２２と外ケースユニット１３２との組合せのもとでパネル部１１１の側に取り付けて計器用変流器１１２を外部磁界から遮蔽するシールドケース１２１とで構成されている。
【０００４】
このうち、パネル部１１１には、該パネル部１１１側から内方に突設された一対の支腕部１１４，１１４を介して計器用変流器１１２が取り付けられているほか、支腕部１１４，１１４を含む周辺部位を囲繞すべく略ロ字形を呈する囲壁部１１５がパネル部１１１側から内方に突設されている。しかも、該囲壁部１１５における上辺部１１６には、その開放端面の側に差込み用の溝部１１７がその長さ方向に沿わせて設けられている。
【０００５】
一方、シールドケース１２１を構成する内ケースユニット１２２は、パネル部１１１に突設されている囲壁部１１５における上辺部１１６の溝部１１７への差し込みが自在な差込み片１２４を有するシャーシ板１２３と、該シャーシ板１２３の差込み片１２４を除く部位と略同形状を呈するシールド板１２５と、該シールド板１２５よりやや小さな略相似形状を呈する上面板１２７を有するシールドケース部１２６とで構成されている。なお、該シールドケース部１２６は、下面が全面開口されているほか、パネル部１１１との対面側に位置する一側面にもシールドケース部１２５をその下面側から計器用変流器１１２に被せる際に支腕部１１４，１１４の挿通を許す程度に部分開口された切欠部１２６ａを有している。
【０００６】
また、外ケースユニット１３２は、シールドケース部１２６を下面側から外被できる大きさの一次シールドケース部１３３と、該一次シールドケース部１３３を下面側から外被できる大きさの二次シールドケース部１３５とで構成されている。この場合、一次シールドケース部１３３と二次シールドケース部１３５とのそれぞれには、支腕部１１４，１１４の通過を許す切欠部１３３ｂ，１３５ｂがパネル部１１１との対面側に設けられている。なお、図中の符号１１３は計器用変流器１１２から引き出されたコードを、１２６ａ，１３３ａ，１３５ａは、計器用変流器１１２から引き出されたコード１１３を外部に引き出すための切欠部をそれぞれ示す。
【０００７】
このため、パネル部１１１へのシールドケース１２１の取付けは、まず、シールドケース部１２５を計器用変流器１１２に上から被せた後、差込み片１２４を溝部１１７に差し込んでシャーシ板１２３を配置するとともに、該シャーシ板１２３とシールドケース部１２５との間にシールド板１２４を配置した上で、シャーシ板１２３とシールド板１２４とシールドケース部１２５とをねじで止めて一体化して内ケースユニット１２２を組み立てる。また、内ケースユニット１２２は、溝部１１７に差込み片１２４を差し込んだ状態のもとで相互をねじ止めすることにより、パネル部１１１の側に固定することができる。
【０００８】
このようにして内ケースユニット１２２をパネル部１１１の側に固定した後は、外ケースユニット１３２における一次シールドケース部１３３をシールドケース部１２５に下面側から外被させ、位置決め突片１３４，１３４を介して内ケースユニット１２２の側にねじ止めする。
【０００９】
一次シールドケース部１３３を内ケースユニット１２２の側にねじ止めした後は、一次シールドケース部１３３に対しその下面側から二次シールドケース部１３５を外被させ、位置決め突片１３６，１３６を介して内ケースユニット１２２の側にねじ止めして外ケースユニット１３２を組み立てることにより、内ケースユニット１２２と外ケースユニット１３２とからなるシールドケース１２１で計器用変流器１１２を外部磁界から遮蔽することができる。
【００１０】
【発明が解決しようとする課題】
しかし、シールドケース１２１をパネル部１１１の側に取り付けるためには、個々の構成部材を各別にパネル部１１１の側に配置して順次組み立てていかなければならず、組立に要する作業や分解に要する作業が煩雑になる不都合があった。
【００１１】
本発明は従来技術にみられた上記課題に鑑みてなされたものであり、その目的は、組立作業や分解作業を容易化するなかで、優れた磁気シールド効果が得られる計器用変流器の磁気シールド構造を提供することにある。
【００１２】
【課題を解決するための手段】
本発明は上記目的を達成すべくなされたものであり、その構成上の特徴は、筐体の一部である計器用変流器取付用のパネル部と、該パネル部に支腕部を介して取り付けられた計器用変流器を内ケースユニットと外ケースユニットとで外部磁界から遮蔽するシールドケースとで構成され、前記内ケースユニットは、パネル部に設けられた溝部への差し込みが自在な差込み片を有するシャーシ板と、該シャーシ板の差込み片を除く部位と略同形状を呈するシールド板と、該シールド板よりやや小さな方形形状を呈する上面板を有して下面が全面開口され、パネル部との対面側に位置する一側面が少なくとも前記計器用変流器の通過を許す幅で部分開口されているシールドケース部とを一体的に固定して形成し、前記外ケースユニットは、前記シールドケース部への下方からの外被を自在に形成された一次シールドケース部と、該一次シールドケース部への下方からの外被を自在に形成された二次シールドケース部とを前記支腕部の通過を許す切欠部を具備させて相互に一体的に固定して形成するとともに、部分開口している前記一側面の側から前記計器用変流器をシールドケース部内に納めながら差込み片を溝部に差し込んでパネル部の側に固定させた前記内ケースユニットには、シールドケース部を下方から前記切欠部を介して支腕部を導入しながら外被させた状態のもとで外ケースユニットを一体的に固定したことにある。
【００１３】
この場合、外ケースユニットは、二次シールドケース部の開放端面からその面方向での外方に突設された少なくとも２個の位置決め突片を介して内ケースユニットに一体的に固定するのが好ましい。
【００１４】
【発明の実施の形態】
図１は本発明の一例を示す分解斜視図であり、その全体は、計測に必要な種々の機器類が収納される筐体（図示せず）を構成して例えばその背面側など、適宜の位置に取り付けられる計器用変流器取付用のパネル部１１と、内ケースユニット２２と外ケースユニット３２との組合せのもとでパネル部１１の側に取り付けて計器用変流器１２を外部磁界から遮蔽するシールドケース２１とで構成されている。
【００１５】
このうち、樹脂成形品などからなるパネル部１１には、該パネル部１１側から一側方向（図示例のように内方が好ましいが、必要により外方であってもよい）へと突設された一対の支腕部１４，１４を介してコード１３付きの計器用変流器１２が取り付けられているほか、支腕部１４，１４に基端側を含む周辺部位を囲繞すべく略ロ字形を呈する囲壁部１５がパネル部１１側から支腕部１４，１４と同方向に向けて突設されている。しかも、該囲壁部１５における上辺部１６には、その開放端面の側に差込み用の溝部１７が長さ方向に沿わせて形成されている。
【００１６】
一方、シールドケース２１を構成する内ケースユニット２２は、パネル部１１に突設されている囲壁部１５における上辺部１６の溝部１７への差し込みが自在な差込み片２４を有するシャーシ板２３と、該シャーシ板２３の差込み片２４を除く部位と略同形状を呈するシールド板２５と、該シールド板２５よりやや小さな方形形状を呈する上面板２７を有して下面２６ａが全面開口され、パネル部１１との対面側に位置する一側面２６ｂが少なくとも計器用変流器１２の通過を許す幅の切欠部２８で部分開口されているシールドケース部２６とで構成されている。なお、シールドケース部２６には、計器用変流器１２から引き出されたコード１３を外部に引き出すための切欠部２６ｃが設けられている。また、シールド板２５は、後述する二次シールドケース部３５が備える２個の位置決め突片３７との対面部位に突出部２５ｃが各別に設けられており、該突出部２５ｃのそれぞれには螺孔２５ｂが設けられている。
【００１７】
しかも、図２（イ）に示すように各別に形成されているシャーシ板２３とシールド板２５とシールドケース部２６とは、相互に対面する適宜の位置に設けられた螺孔２３ａ，２５ａ，２７ａを介して事前にそれぞれを一体的にねじ止めしたり、螺孔２３ａ，２５ａ，２７ａに代えて通孔を設け、ボルトとナットとで相互を固定するなど、適宜の固定手段により相互を図２（ロ）に示す内ケースユニット２２として組み立てておくことができる。
【００１８】
また、外ケースユニット３２は、シールドケース部２６を下方である底板部２６ａ側から外被できる大きさ（容積）を備えてその上面３３ａを全面開口させた一次シールドケース部３３と、該一次シールドケース部３３を下方である底板部３３ｂ側から外被できる大きさ（容積）を備えてその上面３５ａ（開口面３９）を全面開口させた二次シールドケース部３５とで構成されている。
【００１９】
なお、一次シールドケース部３３と二次シールドケース部３５とをシールドケース部２６に外被させた際に切欠部２６ｃと対面する部位に位置するそれぞれの上下方向には、計器用変流器１２から引き出されたコード１３を外部に引き出すための切欠部３４，３６が設けられている。また、二次シールドケース部３５は、対角位置にある開放端面３８から面方向での外方に突設された２個の位置決め突片３７を有している。なお、位置決め突片３７は、外ケースユニット３２の側を位置決めして内ケースユニット２２のシャーシ板２３とシールド板２５とに固定できるものであれば、その位置や設置個数を自由に定めることができる。
【００２０】
さらに、一次シールドケース部３３と二次シールドケース部３５とにおける計器用変流器１２との対面側には、図１に示すように一対の支腕部１４，１４の同時通過を許す程度の大きさや、図３に示すように支腕部１４を各別に通過させることができる対となった溝状など、適宜形状を呈する切欠部３３ｄ，３５ｄが設けられている。
【００２１】
しかも、図３（イ）に示すように各別に形成されている一次シールドケース部３３と二次シールドケース部３５とは、底板部３３ｂ，３５ｂ相互の適宜の対面位置に設けられた螺孔３３ｃ，３５ｃを介して事前にそれぞれを一体的にねじ止めしたり、螺孔３３ｃ，３５ｃに代えて通孔を設け、ボルトとナットとで相互を固定するなど、適宜の固定手段により相互を図３（ロ）に示す外ケースユニット３２として組み立てておくことができる。
【００２２】
また、シールドケース２１における少なくともシールドケース部２６と一次シールドケース部３３とはパーマロイを用い、シールド板２５と二次シールドケース部３５とはけい素鋼板を用い、シャーシ板２３はメッキ鋼板を用いてそれぞれを形成するのが、高い磁気シールド効果を得つつも、素材コストを低減する上からは好ましい。なお、コスト的に許されるならば、シールドケース２１のすべての構成部材をパーマロイを用いて形成することもできる。
【００２３】
本発明はこのようにして構成されているので、事前に組み立てられている内ケースユニット２２は、パネル部１１との対面側に位置する一側面２６ｂが少なくとも計器用変流器１２の通過を許す幅の切欠部２８により部分開口されているので、シャーシ板２３の差込み片２４をパネル部１１の溝部１７に水平方向から差し込みながら、シールドケース部２６内に計器用変流器１２を納めた後、上辺部１６と差込み片２４とを相互にねじ止めすることにより、直ちにパネル部１１の側に固定することができる。
【００２４】
また、このようにしてパネル部１１の側に内ケースユニット２２を固定した後は、一次シールドケース部３３と二次シールドケース部３５とを一体的にねじ止めするなどして組み立てられた外ケースユニット３２を、切欠部３３ｄ，３５ｄを介して支腕部１４，１４の通過を許しながらシールドケース部２６に下方から被せ、二次シールドケース部３５に突設されている一対の位置決め突片３７，３７の通孔３７ａ，３７ａを介してシャーシ板２３の螺孔２３ｂとシールド板２５の螺孔２５ｂとにそれぞれをねじ止めするなどして固定することにより、内ケースユニット２２と外ケースユニット３２とからなるシールドケース２１で計器用変流器１２を外部磁界から遮蔽することができる。
【００２５】
したがって、パネル部１１へのシールドケース２１の取付けは、パネル部１１の側に取り付けた内ケースユニット２２に対し外ケースユニット３２を単に固定するだけで簡単に行うことができる。
【００２６】
しかも、パネル部１１に取り付けられている計器用変流器１２は、その周囲を少なくとも二重シールド構造となったシールドケース２１で覆われる結果、外部磁気の影響を効果的に抑止して微小電流であっても計器用変流器１２により正確に検出することができる。なお、本発明によれば、内ケースユニット２２と外ケースユニット３２とは、共に事前に組み立てておくことができるため、二重シールド以上の多重シールド構造とすることも容易である。
【００２７】
また、シールドケース２１は、内ケースユニット２２に対し、従来例よりも数の少ない位置決め突片３７を介して外ケースユニット３２を固定して組み立てることができるので、それだけ全体形状をコンパクト化できる。
【００２８】
【発明の効果】
以上述べたように本発明によれば、パネル部へのシールドケースの取付けは、計器用変流器を納めながらパネル部の側に取り付けた内ケースユニットに対し外ケースユニットを単に固定するだけで行うことができるので、組立に要する作業や分解に要する作業を簡素化できる。
【００２９】
しかも、計器用変流器は、その周囲を少なくとも二重シールド構造となったシールドケースで覆われる結果、外部磁気の影響を効果的に抑止して微小電流であっても正確に検出できる。
【００３０】
また、シールドケース自体は、内ケースユニットに従来例よりも数の少ない位置決め突片を介して外ケースユニットを固定して組み立てることができるので、それだけ全体形状をコンパクト化できる。
【図面の簡単な説明】
【図１】本発明の一例を示す分解斜視図。
【図２】本発明においてシールドケースを構成している内ケースユニットにつき、組立て前の分解斜視図を（イ）として、組立後の斜視図を（ロ）としてそれぞれ示す。
【図３】本発明においてシールドケースを構成している外ケースユニットにつき、組立て前の分解斜視図を（イ）として、組立後の斜視図を（ロ）としてそれぞれ示す。
【図４】従来例を示す分解斜視図。
【符号の説明】
１１，１１１  パネル部
１２，１１２  計器用変流器
１３，１１３  コード
１４，１１４  支腕部
１５，１１５  囲壁部
１６，１１６  上辺部
１７，１１７  溝部
２１，１２１  シールドケース
２２，１２２  内ケースユニット
２３，１２３  シャーシ板
２３ａ，２３ｂ  螺孔
２４，１２４  差込み片
２５，１２５  シールド板
２５ａ，２５ｂ  螺孔
２５ｃ  突出部
２６，１２６  シールドケース部
２６ａ  下面
２６ｂ  一側面
２６ｃ  切欠部
２７，１２７  上面板
２７ａ  螺孔
２８  切欠部
３２，１３２  外ケースユニット
３３，１３３  一次シールドケース部
３３ａ  上面
３３ｂ  底板部
３３ｃ  螺孔
３３ｄ  切欠部
３４  切欠部
３５，１３５  二次シールドケース部
３５ａ  上面
３５ｂ  底板部
３５ｃ  螺孔
３５ｄ  切欠部
３６  切欠部
３７  位置決め突片
３７ａ  通孔
３８  開放端面
３９  開口面
【図１】
0003665229.tif 000002
【図２】
0003665229.tif 000003
【図３】
0003665229.tif 000004
【図４】
0003665229.tif 000005